(57)【特許請求の範囲】
【請求項１】
先端に打球部を有した発射杆が回動軸を軸に往復回動動作して、該打球部を遊技球に打ち当て、遊技球を遊技領域に向けて発射するパチンコ遊技機の球発射装置において、
ベース板に発射口部材が固定され、該発射口部材には、遊技球を発射杆により発射する発射通路が設けられると共に、該発射通路の側壁部に発射レールが設けられ、
該打球部の打球動作により、該発射レールの傾斜角度より大きい発射角度で遊技球が、外レールの下端の導入口に向けて発射され、
該発射杆は、金属本体が略L字形に形成されてその角部に該回動軸が軸着され、該金属本体の略全体を覆うように合成樹脂の被覆層が形成される一方、先端には貫通孔を設けて高反発弾性を有し該被複層と一体の合成樹脂製の該打球部が設けられると共に、反打球部側の片部に回動範囲制限部が設けられて構成され、
該回動範囲制限部が待機位置に回動したとき、当接する第２ストッパ部が該発射口部材に設けられ、
該発射杆が発射側に回動されて打球を行った際、該回動範囲制限部が当接する位置の該ベース板に第１ストッパ部が設けられ、
該発射口部材上の該第２ストッパ部に隣接した位置に、待機位置の該回動範囲制限部の先端部に対向して永久磁石が設けられたことを特徴とするパチンコ遊技機の球発射装置。
【発明の詳細な説明】
【技術分野】
【０００１】
本発明は、パチンコ遊技機の球発射装置に関し、特に発射杆の打球部を合成樹脂により形成した球発射装置に関する。
【背景技術】
【０００２】
従来のパチンコ遊技機の球発射装置における発射杆は、一般に、例えば下記特許文献１に記載されるように、金属によりレバー状に形成され、発射杆の先端にコイルばね製の弾発槌が取り付けられて構成される。発射杆はその元部をロータリソレノイドの回動軸に固定され、発射レールの下端部に遊技球が保持された状態で、発射杆が回動軸を軸に回動して、発射杆の先端の弾発槌が遊技球を打撃し、遊技領域に向けて発射する。
【０００３】
この種の球発射装置の発射杆は、その製造時、金属製の発射杆の先端にコイルばねを溶接などにより固定しているが、発射杆の先端は細く狭いため、コイルばねを正確な位置に固定することが難しく、製造時の作業工数が増大し、コイルばねの取付位置にばらつきが生じやすいという課題があった。
【０００４】
そこで、従来、発射杆の先端に円柱状或いは円錐形の槌本体を突設し、その槌本体にコイルばねを被せるように取り付け、コイルばねの先端に合成樹脂製の槌先を取り付けた構造の発射装置が、下記特許文献２などにより提案されている。また、発射杆の先端に突設された円柱状の槌部材に、鞘部材を軸方向に移動可能に被せた構造の発射装置が、下記特許文献３などにより提案されている。
【特許文献１】特開平４−２５６７６６号公報
【特許文献２】実開平４−５８２８３号公報
【特許文献３】特開２００３−２２０１９７号公報
【発明の開示】
【発明が解決しようとする課題】
【０００５】
しかし、上記特許文献２，３に記載される発射杆は、何れも打球時の弾性力を保持しつつ、組付けの作業性を改善しようとするものであるが、前者のものは、コイルばねを使用するため、部品点数が増加すると共にコイルばねの位置決めが難しく、後者のものは、槌部材の周囲に螺旋溝を形成するため、部品点数の増加と共にやはり加工工数が多いという課題があった。
【０００６】
本発明は、良好な遊技球の発射性能を確保することができるパチンコ遊技機の球発射装置を提供することを目的とする。
【課題を解決するための手段】
【０００７】
上記の目的を達成するために、本発明の請求項１の球発射装置は、先端に打球部を有した発射杆が回動軸を軸に往復回動動作して、該打球部を遊技球に打ち当て、遊技球を遊技領域に向けて発射するパチンコ遊技機の球発射装置において、
ベース板に発射口部材が固定され、該発射口部材には、遊技球を発射杆により発射する発射通路が設けられると共に、該発射通路の側壁部に発射レールが設けられ、該打球部の打球動作により、該発射レールの傾斜角度より大きい発射角度で遊技球が、外レールの下端の導入口に向けて発射され、該発射杆は、金属本体が略L字形に形成されてその角部に該回動軸が軸着され、該金属本体の略全体を覆うように合成樹脂の被覆層が形成される一方、先端には貫通孔を設けて高反発弾性を有し該被複層と一体の合成樹脂製の該打球部が設けられると共に、反打球部側の片部に回動範囲制限部が設けられて構成され、該回動範囲制限部が待機位置に回動したとき、当接する第２ストッパ部が該発射口部材に設けられ、該発射杆が発射側に回動されて打球を行った際、該回動範囲制限部が当接する位置の該ベース板に第１ストッパ部が設けられ、該発射口部材上の該第２ストッパ部に隣接した位置に、待機位置の該回動範囲制限部の先端部に対向して永久磁石が設けられたことを特徴とする。
【発明の効果】
【０００８】
本発明のパチンコ遊技機の球発射装置によれば、第２ストッパ部に隣接して回動範囲制限部の先端部に対向した位置に永久磁石が配設されるので、発射杆が待機位置に戻り、第２ストッパ部に当って停止する際、永久磁石の磁力を受ける。待機位置の発射杆は、この永久磁石の磁力を受けるので、遊技球を安定して一定の発射方向に一定の飛距離で発射することができ、あわせて発射レールの傾斜角度より大きい発射角度で遊技球が外レールの下端の導入口に向けて発射されて、発射レールとの接触が少なくなるので、良好な発射性能を確保することができる。さらに、発射杆は、金属本体の略全体を覆うように合成樹脂の被覆層が形成される一方、先端には貫通孔を設けて高反発弾性を有し被覆層と一体の合成樹脂製の該打球部が設けられているので、高反発弾性と高い耐衝撃性により、打球時の衝撃を良好に緩和し、打球部の摩耗を最小に抑えると共に、遊技球を一定の発射方向に安定して発射することができる。
【発明を実施するための最良の形態】
【０００９】
以下、本発明の一実施形態を図面に基づいて説明する。図１はパチンコ遊技機の発射装置１０の正面図を示し、図２はその右側面図を、図３はその分解斜視図を示している。発射装置１０は、金属板などにより矩形に形成されたベース板１１上に、発射口部材１２、ロータリソレノイド１４、第１・第２ストッパ部１７，１８などを取り付けて構成される。ベース板１１の中央右寄りに軸孔が穿設され、その軸孔から回動軸１４ａを突き出すように、ロータリソレノイド１４がベース板１１の裏面に固定ねじなどで固定される。
【００１０】
ベース板１１上には、合成樹脂製の発射口部材１２が固定ねじなどにより固定されている。発射口部材１２は、その略中央に発射通路１２ａが斜め上方に傾斜して形成され、その発射通路１２ａに向かって左側の側壁部に発射レール１３が取り付けられている。
【００１１】
また、発射口部材１２の発射通路１２ａは、後述の遊技盤２上の外レール３の下端部と内レール４間に斜め下方に傾斜して設けられた導入口５に向けて、傾斜して形成される。さらに、発射通路１２ａ内の下端部には、側壁をせりだして通路を狭搾するように、球保持部１２ｂが形成され、図示しない球送り機構から送られた１個の遊技球がこの球保持部１２に保持される。
【００１２】
発射通路１２ａの下側の側壁部を形成する発射レール１３は、コ字状に曲折した金属板の接触面を略Ｖ字型に曲折して形成され、発射レール１３の長さは遊技球の直径の略２倍の長さに形成されている。この発射レール１３は遊技球の発射時のガイドとなるものであるが、発射レール１３の傾斜角度より、少し大きい発射角度で遊技球を外レールの下端の導入口に向けて発射することにより、発射レールとの接触を少なくし、発射レール１３の長さを従来のものより短縮している。
【００１３】
発射杆１５は、概略的には、略Ｌ字型に形成され、その角部に回動軸を嵌着されるための軸孔が形成される。また、発射杆１５の先端部には、遊技球を打撃するための打球部１６が形成され、反打球部側の片部には、後述の第１・第２ストッパ部１７，１８に当接するための回動範囲制限部１５ａが形成されている。また、この発射杆１５は、図３〜図５に示すように、金属インサート（金属本体）１５ｂの周囲に高反発弾性の合成樹脂を被覆するようにインサート成形して、合成樹脂の被覆層１５ｃがその周囲に被覆・形成され、そのインサート成形時に先端の打球部１６が一体に成形されるものである。
【００１４】
発射杆１５の金属本体となる金属インサート１５ｂは、図４に示すように、例えば鋼板を略Ｌ字型に裁断して形成され、その角部には軸孔１５ｄが穿設され、先端部にはインサート保持用ピンを挿入するためのピン孔１５ｅが穿設される。このような形状の金属インサート１５ｂは、製造時、所定のインサート成形型内にセットされ、その周囲に合成樹脂材料を射出してインサート成形が行なわれる。合成樹脂材料としては、一般的なゴムとプラスチックの間の中間的な柔らかさを有し、高い耐衝撃性と反発弾性を有した熱可塑性エラストマーを使用することが好ましく、熱可塑性エラストマーとしては、ポリエステルエラストマーの使用が好ましい。
【００１５】
発射杆１５は、このようなインサート成形により、図５のような形状に成形され、金属インサート１５ｂの外周には、略全体を覆うように合成樹脂の被覆層１５ｃが被覆・形成され、回動範囲制限部１５ａの被覆層１５ｃと共に、発射杆１５の先端部の左側端面に、遊技球を打球する打球部１６が一体に成形される。この打球部１６は、高反発弾性を有する合成樹脂材料により成形され、単純に突起部として形成して良好な反発弾性を付与することができるが、ここでは、横方向に貫通孔１６ａを形成することにより、さらに高い反発弾性が打球部１６に生じるようにしている。
【００１６】
なお、発射杆１５の打球部は、高反発弾性を生じさせるために、貫通孔１６ａのほか、図８に示すように、複数の溝２６ａを打球部２６の両側面に形成して、高反発弾性を確保することもできる。また、溝に代えて凹部とすることもできる。
【００１７】
さらに、打球部１６の打撃面は、図５に示すように、遊技球の半径より幅広の矩形に形成され、楕円形とすることもできる。遊技球の半径は５．５ｍｍであり、打撃面の横幅は、例えば６ｍｍとするとことができる。このように、打球部１６の打撃面を遊技球の半径より幅広の矩形または楕円形に形成することにより、遊技球と打球部１６の位置関係が微妙にずれたときでも、安定した発射を行なうことができる。よって、発射杆１５が一定の回動力で回動する際、遊技球の発射方向と飛距離のばらつきを少なくし、一定した打球を行なうことができる。
【００１８】
上述のように、発射杆１５のＬ字形本体の角部に軸孔が穿設され、その軸孔にロータリソレノイド１４の回動軸１４ａの先端が嵌入され、固定ナット１４ｂにより締め付け固定されるが、図３、図５に示すように、軸孔１５ｄの周囲は、金属面を露出させており、固定ナット１４ｂによる発射杆１５の締め付け固定が強固に行なわれるようにしている。
【００１９】
ロータリソレノイド１４は、図３に示すように、ベース板１１の中央右寄りに形成された孔から回動軸１４ａを突き出すように、ベース板１１の裏面に固定され、その回動軸１４ａの先端に発射杆１５が固定ナット１４ｂにより締め付け固定される。このとき、発射杆１５の打球部１６は、図７に示すように、発射杆１５が正面視で略６時位置から略８時位置に向けて時計方向に回動したとき、球保持部１２ｂの遊技球を打撃して、これを所定の発射方向に発射させるように形成されている。
【００２０】
さらに、発射杆１５の反打球部側の片部には、回動範囲を制限するための回動範囲制限部１５ａが形成され、この回動範囲制限部１５ａに対向して、第１ストッパ部１７、第２ストッパ部１８が当接可能にベース板１１上に固定されている。
【００２１】
第１ストッパ部１７は、発射杆１５が発射側に回動されて打球を行なった際、回動範囲制限部１５ａが当接する位置のベース板１１上に固定される。また、第２ストッパ部１８は、発射杆１５が打球動作後に待機位置に戻った際、回動範囲制限部１５ａが当接する位置のベース板１１上に固定される。第１ストッパ部１７及び第２ストッパ部１８における、発射杆１５の回動範囲制限部１５ａが当接する部分には、合成樹脂製の取付部に対してゴム状弾性を有する高分子エラストマーなどのゴム状弾性体を取り付け、ストッパ部に発射杆１５が当った際の衝撃を緩衝させるようにしている。
【００２２】
このように、発射杆１５には、その回動範囲を制限する回動範囲制限部１５ａと遊技球を打撃する打球部１６が設けられるところ、上記のように、金属インサート１５ａをインサートとして高反発弾性の合成樹脂のインサート成形を行なうことにより、回動範囲制限部１５ａの被覆層１５ｃと打球部１６を１つの成形工程で同時に形成することができ、発射杆１５の生産効率を大きく向上させることができる。
【００２３】
なお、発射杆１５は、ロータリソレノイド１４の回転駆動により発射方向（図７の時計方向）に駆動され、発射後は、その自重と発射口部材１２に設けた永久磁石１９の磁力により、図７の位置から図１の位置まで、反時計方向に回動して待機位置に戻るように構成されている。また、図２に示すように、発射装置１０の前面には、その発射杆１５などを覆うように、透明カバー１０ａが取り付けられ、遊技球が誤って球保持部１２ｂ以外の箇所に侵入することを防止している。
【００２４】
このように構成された発射装置１０は、図６に示すように、遊技機の前面枠１内における遊技盤２の下側中央位置に取り付けられる。遊技盤２は、前面枠１の中央部に着脱可能に取り付けられ、遊技盤２上には中央の遊技領域を囲うように外レール３と内レール４が配設されている。なお、図面上では、遊技盤２上に打設される障害釘、各種役物、表示装置、入賞口などは省略されている。
【００２５】
遊技盤２の正面視において、左下側の外レール３の下端部と内レール４の間に、発射された遊技球を導入するための導入口５が形成されている。この導入口５は左端部から遊技盤２の下側の中央部、つまり斜め下方の中央部に向けて開口して形成され、発射装置１０がその遊技盤２の下側の略中央位置に設置される。
【００２６】
発射装置１０のロータリソレノイド１４は、図示しない発射制御回路に接続される。発射制御回路は、遊技者の図示しない発射レバーへの接触を検出すると共に、発射レバーの回動時の回転量（回転角）を検出し、球送り機構（図示を省略）を動作させて、受け皿より送られた遊技球を１個づつ発射装置１０の球保持部１２ｂに送ると共に、ロータリソレノイド１４を発射レバーの回転角に応じたトルクで回転駆動し、遊技球の発射動作を制御するように構成されている。
【００２７】
次に、上記構成の球発射装置の動作を説明する。遊技者が発射レバーを操作すると、図示しない球送り機構が動作して遊技球を１個づつ発射装置１０の球保持部１２ｂに送ると共に、ロータリソレノイド１４が駆動して発射杆１５が図１の待機位置から図７の発射位置に向けて正面視で時計方向に回転駆動される。このとき、発射杆１５の回動により、その先端の打球部１６が球保持部１２ｂの遊技球を打撃し、遊技球は発射通路１２ａを通り外レール３の下端部の導入口５に向けて発射される。
【００２８】
打球部１６は、被覆層１５ｃと一体に同一の合成樹脂で成形されているが、高反発弾性を有する熱可塑性エラストマー（例えばポリエステルエラストマー）が使用されるため、良好なばね状弾性により、遊技球を安定して一定の発射方向に一定の飛距離で発射することができる。
【００２９】
また、発射杆１５は、このような発射動作時、その回動範囲制限部１５ａの一側が第１ストッパ部１７に当接して停止する。ロータリソレノイド１４の回転駆動を行なう駆動電流は、短い時間幅のパルス状電流であって、パルス状に供給され、これによって打球部１６が遊技球に向けて回動して打撃し、回動範囲制限部１５ａが第１ストッパ部１７に当接した時点で、駆動パルス電流は消失し、回転トルクはゼロとなる。このため、発射杆１５は、打撃動作後、その自重により図７の反時計方向に回動し、図１の待機位置に戻ったとき、回動範囲制限部１５ａの他側が第２ストッパ部１８に当接して停止する。
【００３０】
このように、ロータリソレノイド１４の駆動により、発射杆１５が所定の角度範囲で往復回動動作を繰り返し、発射杆１５先端の打球部１６が時計方向に回動して、球保持部１２ｂに保持された遊技球を打撃することにより、遊技球は良好に発射される。打球部１６は、被覆層１５ｃと同じ熱可塑性エラストマーにより一体成形されるため、良好な高反発弾性と高い耐衝撃性により、打球時の衝撃を良好に緩和し、打球部１６の摩耗も最少に抑えることができる。
【００３１】
図９は他の実施形態の発射杆３５を示し、この例では、金属本体３５ｂの打球部側の先端部のみに被覆層３５ｃが被覆形成され、その被覆層３５ｃと一体に打球部３６が形成されている。この被覆層３５ｃは上記と同様に、熱可塑性エラストマーを材料としてインサート成形により成形されるが、このように、金属本体３５ｂの先端部近傍のみに被覆層３５ｃを設けることによっても、打球部３６の形成は容易に行なうことができる。
【００３２】
図１０は他の実施形態の発射杆４５を示している。この例では、金属本体４５ｂの打球部側の先端部のみに被覆層４５ｃが被覆され、固定ねじ４５ｄにより被覆層４５ｃが固定される。被覆層４５ｃには打球部４６が一体に形成され、この被覆層４５ｃは上記と同様に、熱可塑性エラストマーを材料として成形される。このように、金属本体４５ｂの打球部側の先端部のみに被覆層４５ｃを設けることによっても、その被覆層４５ｃに打球部４６を一体成形すれば、打球部４６の形成は容易に行うことができる。
【図面の簡単な説明】
【００３３】
【図１】本発明の一実施形態を示す発射装置の正面図である。
【図２】同発射装置の右側面図である。
【図３】発射装置の分解斜視図である。
【図４】発射杆の金属インサートの正面図である。
【図５】（ａ）は発射杆の正面図、（ｂ）はその左側面図である。
【図６】パチンコ遊技機の前面枠の正面図である。
【図７】発射動作時の発射杆の正面図である。
【図８】他の実施形態の発射杆の正面図である。
【図９】さらに他の実施形態の発射杆の正面図である。
【図１０】さらに他の実施形態の発射杆の正面図である。
【符号の説明】
【００３４】
１０−発射装置
１２ｂ−球保持部
１３-発射レール
１４−ロータリソレノイド
１５-発射杆
１５ａ-回動範囲制限部
１５ｂ−金属インサート
１５ｃ−被覆層
１６−打球部
【図１】
0004503670.tif 000002
【図２】
0004503670.tif 000003
【図３】
0004503670.tif 000004
【図４】
0004503670.tif 000005
【図５】
0004503670.tif 000006
【図６】
0004503670.tif 000007
【図７】
0004503670.tif 000008
【図８】
0004503670.tif 000009
【図９】
0004503670.tif 000010
【図１０】
0004503670.tif 000011